(57)【要約】    【課題】  撮影モードと画像再生モードとを区別したモード設定を行わなくても撮影と画像の閲覧とをシームレスに行うことを可能とした撮像装置を提供する。    【解決手段】  撮像装置としてのデジタルカメラは、液晶ディスプレイ105、液晶ディスプレイ105に表示する画像の切り替え指示を行う十字ボタン107等を備える。カメラモジュール電源が投入されている場合は、撮影モードに移行させる。カメラモジュール電源が投入されていない場合で、液晶ディスプレイ105に表示中の画像が画像リストの最後であったときに十字ボタン107の右側（次）が押された場合は、画像リストの先頭の画像を表示し、表示中の画像が画像リストの先頭であったときに十字ボタン107の左側（前）が押された場合は、画像リストの最後の画像を表示する。【選択図】      図４
2005295448.tif 000002
【特許請求の範囲】
【請求項１】
撮影した画像を表示する表示手段を備えた撮像装置であって、
前記表示手段に表示する画像の切り替え指示を行う操作手段と、
撮影した画像の画像リストを生成する生成手段と、
前記表示手段に表示中の画像が前記画像リストの最後であったときに前記操作手段により次画像への切り替えが指示された場合、又は表示中の画像が前記画像リストの先頭であったときに前記操作手段により前画像への切り替えが指示された場合に、撮影モードに移行させる撮影移行手段とを備えることを特徴とする撮像装置。
【請求項２】
前記表示手段が画像表示状態となるまでに一定時間が経過した場合、撮影用電源を切断する電源制御手段と、
前記表示手段に表示中の画像が前記画像リストの最後であったときに前記操作手段により次画像への切り替えが指示された場合、又は表示中の画像が前記画像リストの先頭であったときに前記操作手段により前画像への切り替えが指示された場合に、前記撮影用電源の状態を確認する電源確認手段とを備え、
前記撮影用電源が投入されている場合は、前記撮影移行手段により撮影モードに移行させ、
前記撮影用電源が投入されていない場合で、表示中の画像が前記画像リストの最後であったときに前記操作手段により次画像への切り替えが指示された場合は、前記画像リストの先頭の画像を表示し、表示中の画像が前記画像リストの先頭であったときに前記操作手段により前画像への切り替えが指示された場合は、前記画像リストの最後の画像を表示することを特徴とする請求項１記載の撮像装置。
【請求項３】
画像キャプチャを指示する第二の操作手段を備え、
前記表示手段の画像表示中に前記第二の操作手段により画像キャプチャが指示された場合において、前記撮影用電源が投入されていない場合は、前記電源制御手段により前記撮影用電源を投入し且つ前記撮影移行手段により撮影モードに移行させ、前記撮影用電源が投入されていた場合は、前記撮影移行手段により撮影モードに移行させることを特徴とする請求項１又は２記載の撮像装置。
【請求項４】
前記表示手段の画像表示中に前記第二の操作手段により画像キャプチャが指示された場合でも、前記撮影用電源の投入及び撮影モードへの移行を防止する防止手段を備えることを特徴とする請求項３記載の撮像装置。
【請求項５】
前記防止手段は、ハードウェアスイッチ又はソフトウェアスイッチにより実現されることを特徴とする請求項４記載の撮像装置。
【請求項６】
前記表示手段の画像表示中に、前記撮影用電源の切断を指示する第三の操作手段を備えることを特徴とする請求項２記載の撮像装置。
【請求項７】
撮影モードにおいて前記操作手段により前画像への切り替えが指示された場合も次画像への切り替えが指示された場合も、ともに画像再生モードに移行させ、前記画像リストの最後の画像又は先頭の画像を表示することを特徴とする請求項１記載の撮像装置。
【請求項８】
画像再生モードにおいて前記第二の操作手段により画像キャプチャが指示された場合、撮影モードに移行させ、前記操作手段により前画像への切り替えが指示された場合、前記撮影モードに移行する前に表示していた画像を表示することを特徴とする請求項１又は３記載の撮像装置。
【請求項９】
撮影した画像を表示する表示手段と前記表示手段に表示する画像の切り替え指示を行う操作手段を備えた撮像装置の制御方法であって、
前記表示手段に表示中の画像が、撮影した画像の画像リストの最後であったときに前記操作手段により次画像への切り替えが指示された場合、又は表示中の画像が前記画像リストの先頭であったときに前記操作手段により前画像への切り替えが指示された場合に、撮影モードに移行させることを特徴とする制御方法。
【請求項１０】
撮影した画像を表示する表示手段と前記表示手段に表示する画像の切り替え指示を行う操作手段を備えた撮像装置の制御方法をコンピュータに実行させるプログラムであって、
撮影した画像の画像リストを生成する生成モジュールと、前記表示手段に表示中の画像が前記画像リストの最後であったときに前記操作手段により次画像への切り替えが指示された場合、又は表示中の画像が前記画像リストの先頭であったときに前記操作手段により前画像への切り替えが指示された場合に、撮影モードに移行させる撮影移行モジュールとを備えることを特徴とするプログラム。
【発明の詳細な説明】
【技術分野】
【０００１】
本発明は、撮影した画像を電子的に保存すると共に撮影した画像を必要に応じて表示することが可能なデジタルカメラに適用可能な撮像装置及びその制御方法に関する。
【背景技術】
【０００２】
従来、被写体を撮影して得た画像を電子的なデータとして保存することにより、撮影した画像をその場で確認することができるデジタルカメラが実用化されている。実用化されているデジタルカメラでは、被写体を撮影する撮影モードと、撮影した画像を再生し表示する画像再生モードが明確に分かれている。このような２つのモードを切り替えられるデジタルカメラに関する技術が開示されている（例えば、特許文献１参照）。
【０００３】
撮影モードでは、撮影だけに必要なアクチュエータや回路に電源を供給し、画像のキャプチャを指示するキャプチャボタンやズーミングを指示するズームボタンの操作により、画像の撮影やズーミングが可能となる。一方、画像再生モードでは、省電力化のため、撮影だけに必要なアクチュエータや回路への電源供給を遮断し、画像リストの順番に画像を再生して表示を行ったり、画像の一部の拡大表示やサムネイル表示を行ったりすることができる。例えば、再生モードでカメラ本体部に電源を供給しないデジタルカメラに関する技術が開示されている（例えば、特許文献２参照）。
【０００４】
また、最近では、撮影モードにおいてもワンボタン操作により、前回撮影した画像を１枚だけプレビュー表示することができるデジタルカメラが実用化されている。
【０００５】
【特許文献１】特開２００４−０９６６８６号公報
【特許文献２】特開２００３−２２４７４９号公報
【発明の開示】
【発明が解決しようとする課題】
【０００６】
しかしながら、従来の、撮影モードと画像再生モードが明確に分かれているデジタルカメラにおいては、ユーザが過去に撮影した画像を複数枚見たい場合にも、一度、撮影モードから画像再生モードに移行させる操作を行い、更に目的とする画像を探すという操作を行わなければならず、操作が煩雑であるという問題があった。
【０００７】
本発明の目的は、撮影モードと画像再生モードとを区別したモード設定を行わなくても撮影と画像の閲覧とをシームレスに行うことを可能とした撮像装置及びその制御方法を提供することにある。
【課題を解決するための手段】
【０００８】
上述の目的を達成するために、本発明の撮像装置は、撮影した画像を表示する表示手段を備えた撮像装置であって、前記表示手段に表示する画像の切り替え指示を行う操作手段と、撮影した画像の画像リストを生成する生成手段と、前記表示手段に表示中の画像が前記画像リストの最後であったときに前記操作手段により次画像への切り替えが指示された場合、又は表示中の画像が前記画像リストの先頭であったときに前記操作手段により前画像への切り替えが指示された場合に、撮影モードに移行させる撮影移行手段とを備えることを特徴とする。
【０００９】
また、本発明の制御方法は、撮影した画像を表示する表示手段と前記表示手段に表示する画像の切り替え指示を行う操作手段を備えた撮像装置の制御方法であって、前記表示手段に表示中の画像が、撮影した画像の画像リストの最後であったときに前記操作手段により次画像への切り替えが指示された場合、又は表示中の画像が前記画像リストの先頭であったときに前記操作手段により前画像への切り替えが指示された場合に、撮影モードに移行させることを特徴とする。
【００１０】
また、本発明のプログラムは、撮影した画像を表示する表示手段と前記表示手段に表示する画像の切り替え指示を行う操作手段を備えた撮像装置の制御方法をコンピュータに実行させるプログラムであって、撮影した画像の画像リストを生成する生成モジュールと、前記表示手段に表示中の画像が前記画像リストの最後であったときに前記操作手段により次画像への切り替えが指示された場合、又は表示中の画像が前記画像リストの先頭であったときに前記操作手段により前画像への切り替えが指示された場合に、撮影モードに移行させる撮影移行モジュールとを備えることを特徴とする。
【発明の効果】
【００１１】
本発明によれば、表示中の画像が画像リストの最後であったときに操作手段により次画像への切り替えが指示された場合、又は表示中の画像が画像リストの先頭であったときに操作手段により前画像への切り替えが指示された場合に、撮影モードに移行させるので、ユーザが撮像装置の撮影モードと画像再生モードとを区別したモード設定を行わなくても、即ち、撮影モードと画像再生モードを意識せずに、撮影と画像の閲覧とをシームレスに行うことができる。
【発明を実施するための最良の形態】
【００１２】
以下、本発明の実施の形態を図面に基づき説明する。
【００１３】
［第１の実施の形態］
図１は、本発明の第１の実施の形態に係る撮像装置としてのデジタルカメラの外観を示すものであり、（ａ）はデジタルカメラを正面側（レンズ配設側）から見た斜視図、（ｂ）はデジタルカメラを背面側（液晶ディスプレイ配設側）から見た斜視図である。
【００１４】
図１において、デジタルカメラは、筐体１００の各部に、レンズ１０１、シャッタボタン１０２、モード設定ダイアル１０３、光学ファインダ１０４ａ、１０４ｂ、液晶ディスプレイ１０５、ズームボタン１０６、十字ボタン１０７、外部カードスロット１０８、メニューボタン１０９、キャプチャボタン１１０、その他の操作ボタン１１１〜１１２を備えている。
【００１５】
レンズ１０１は、被写体の光学像を撮像素子（不図示）に結像させる。シャッタボタン１０２は、レンズ１０１の焦点合わせ（半押し）、被写体の撮影（全押し）に用いる。モード設定ダイアル１０３は、システム電源（デジタルカメラのシステム全体に電力供給を行う電源）をＯｆｆにするモード（Ｏｆｆ）、画像閲覧と撮影の両方を行うことができるモード（Ｒｅｃ＋Ｖｉｅｗ）、カメラモジュール電源（撮影だけに必要なアクチュエータや回路等のカメラモジュールに電力供給を行う撮影用電源）を敢えてＯｆｆにするモード（Ｖｉｅｗ）の何れかに設定するためのダイアルであり、電源Ｏｎ／Ｏｆｆスイッチを兼ねている。
【００１６】
液晶ディスプレイ１０５は、撮影画像や設定画面（図１１参照）等の表示を行う。ズームボタン１０６は、ズーム動作の指示に用いる。十字ボタン１０７は、十字部分の上下左右と中央を押し込むことができ、５つのスイッチ（上側、下側、左側、右側、中央部に各々対応）を内蔵したボタンであり、液晶ディスプレイ１０５への画像の表示切り替え指示に用いる。外部カードスロット１０８には、撮影した画像を保存するメモリカードが装着される。メニューボタン１０９は、液晶ディスプレイ１０５への設定画面表示の指示に用いる。キャプチャボタン１１０は、画像キャプチャの指示に用いる。
【００１７】
図２は、デジタルカメラの電気的な構成を示すブロック図である。
【００１８】
図２において、デジタルカメラは、ＣＰＵ２０１、リアルタイムクロック（ＲＴＣ）２０２、ＲＡＭ２０３、ＲＯＭ２０４、ボタン（Ｋｅｙ）２０５、レンズ２０６、撮像エンジン（ＰｈｏｔｏＥｎｇｉｎｅ）２０７、外部メモリ（Ｅｘｔ−Ｍｅｍｏｒｙ）２０８、液晶ディスプレイ（ＬＣＤ）２０９、バス２１０を備えている。
【００１９】
ＣＰＵ２０１は、デジタルカメラ全体の制御を司る中央処理装置であり、ＲＯＭ２０４に格納された制御プログラムに基づき、図４（第１の実施の形態）、図９（第２の実施の形態）のフローチャートに示す処理を実行する。ＲＴＣ２０２は、デジタルカメラのシステムに安定的なクロックを供給する。ＲＡＭ２０３は、データの書き込み／読み出しが可能なメモリである。ＲＯＭ２０４は、読み出し専用メモリであり、上記制御プログラムや固定データ等を格納する。
【００２０】
ボタン（Ｋｅｙ）２０５は、図１のシャッタボタン１０２や十字ボタン１０７等に対応する。レンズ２０６は、図１のレンズ１０１に対応する。撮像エンジン２０７は、レンズ２０６やシャッタ機構（不図示）の制御、被写体の光学像を撮像素子（不図示）により電気信号に変換する光電変換、画像データの圧縮／伸長を行う。外部メモリ２０８は、図１の外部カードスロット１０８に装着されるメモリカードに対応するものであり、撮影に基づく画像データを保存する。液晶ディスプレイ２０９は、図１の液晶ディスプレイ１０５に対応するものであり、ファインダ画面の表示や撮影した画像の表示を行う。バス２１０は、上記各構成要素間の情報のやり取りを行うための信号線である。
【００２１】
図３は、デジタルカメラの主要機能を示す機能ブロック図である。
【００２２】
図３において、デジタルカメラは、電源管理部３０１、イベント処理部３０２、画像撮影部３０３、画像展開部３０４、画像表示部３０５を備えている。尚、図３の構成はハードウェア、ソフトウェアのどちらでも実現することができる。
【００２３】
電源管理部３０１は、デジタルカメラのシステム電源及びカメラモジュール電源の投入／切断を制御すると共に、電源状態を管理する。イベント処理部３０２は、シャッタボタン１０２や十字ボタン１０７等のボタンのイベント（操作）に基づく入力内容を解釈する。画像撮影部３０３は、レンズ１０１の焦点調整、画像のキャプチャ等を行う。画像展開部３０４は、画像データを展開（デコード）する。画像表示部３０５は、液晶ディスプレイ１０５に対する画像の表示を制御する。
【００２４】
まず、電源管理部３０１は、デジタルカメラのシステム電源／カメラモジュール電源の状態変化（投入／切断）があると、イベント処理部３０２に電源の状態変化を通知する。これに伴い、イベント処理部３０２は、シャッタボタン１０２や十字ボタン１０７等のボタンのイベントに基づく操作内容を解釈して次の処理の判断を行う。更に、イベント処理部３０２は、ボタンのイベントを、画像撮影時には画像撮影部３０３に転送し、画像表示時には画像展開部３０４に転送する。画像展開部３０４は、該当する画像データを必要に応じてデコードし、画像表示部３０５は、液晶ディスプレイ１０５にデコードされた画像を表示する。
【００２５】
次に、上記構成を有する本実施の形態のデジタルカメラにおける動作を図４乃至図７を参照しながら詳細に説明する。
【００２６】
図４は、デジタルカメラの各状態と各状態におけるイベントによる遷移を示すフローチャートである。尚、図４では、画像のキャプチャ動作を「撮影」と図示し、十字ボタン１０７の右側を押した場合を「次」（次画像への切り替え指示）と図示し、十字ボタン１０７の左側を押した場合を「前」（前画像への切り替え指示）と図示する。
【００２７】
図４において、まず、現在、デジタルカメラが撮影モードでデジタルカメラのシステム電源が投入されており、液晶ディスプレイ１０５がファインダ画面表示状態であるとする（ステップＳ４０１）。撮影に伴い、レンズ１０１を通った被写体の光学像を撮像エンジン２０７の撮像素子により電気信号に光電変換し、画像表示部３０５によりリアルタイムな画像を液晶ディスプレイ１０５に表示する。
【００２８】
ここで、ユーザがシャッタボタン１０２を半押しすると、画像撮影部３０３によりレンズ１０１の焦点を合わせる。ユーザが更にシャッタボタン１０２を押し込んで全押しすると、画像撮影部３０３により画像をキャプチャし（ステップＳ４０８）、撮像エンジン２０７により画像データの圧縮を行い、圧縮された画像データを外部メモリ２０８に保存する。
【００２９】
液晶ディスプレイ１０５のファインダ画面表示状態において（ステップＳ４０１）、ユーザが十字ボタン１０７の右側または左側を押すと、画像表示部３０５により、液晶ディスプレイ１０５に対するレンズ１０１を通った光学像から光電変換されたリアルタイムなファインダ画像の表示を停止し、画像展開部３０４により、既に外部メモリ２０８に保存されている撮影で得た画像データの画像リストを画像の古い順に並べて生成する。
【００３０】
ユーザが十字ボタン１０７の右側を押した場合（次）は、画像展開部３０４により画像リストの先頭の画像をデコードし、ユーザが十字ボタン１０７の左側を押した場合（前）は、画像展開部３０４により画像リストの最後の画像をデコードし（ステップＳ４０２）、画像表示部３０５により液晶ディスプレイ１０５にデコードされた画像を表示する（ステップＳ４０３）。
【００３１】
更にこの状態で、ユーザが十字ボタン１０７の右側を押した場合（次）は、現在、液晶ディスプレイ１０５に表示中の画像が画像リストの最後の画像でない場合（ステップＳ４０４でＮｏ）、画像展開部３０４により画像リストの次の画像をデコードし（ステップＳ４０２）、画像表示部３０５により液晶ディスプレイ１０５にデコードされた画像を表示する。
【００３２】
現在、液晶ディスプレイ１０５に表示中の画像が画像リストの最後の画像であった場合（ステップＳ４０４でＹｅｓ）、電源管理部３０１によりカメラモジュール電源が投入されているか否かを確認する（ステップＳ４０５）。カメラモジュール電源が投入されていた場合（ステップＳ４０５でＹｅｓ）、撮影モードに移行し、レンズ１０１を通った光学像から光電変換されたリアルタイムなファインダ画像を画像表示部３０５により液晶ディスプレイ１０５に表示する（ステップＳ４０１）。
【００３３】
他方、カメラモジュール電源が投入されていなかった場合（ステップＳ４０５でＮｏ）、画像表示部３０５により液晶ディスプレイ１０５の表示画像を画像リストの先頭の画像とし、画像展開部３０４により画像をデコードし（ステップＳ４０２）、画像表示部３０５により液晶ディスプレイ１０５にデコードされた画像を表示する（ステップＳ４０３）。
【００３４】
同様に、液晶ディスプレイ１０５の画像表示中に（ステップＳ４０３）、ユーザが十字ボタン１０７の左側を押した場合（前）は、現在、液晶ディスプレイ１０５に表示中の画像が画像リストの先頭の画像であるか否かを画像表示部３０５によりチェックする（ステップＳ４０６）。現在、液晶ディスプレイ１０５に表示中の画像が画像リストの先頭の画像でなければ（ステップＳ４０６でＮｏ）、画像展開部３０４により画像リストの１つ前の画像をデコードし（ステップＳ４０２）、画像表示部３０５により液晶ディスプレイ１０５にデコードされた画像を表示する（ステップＳ４０３）。
【００３５】
現在、液晶ディスプレイ１０５に表示中の画像が画像リストの先頭の画像であれば（ステップＳ４０６でＹｅｓ）、電源管理部３０１によりカメラモジュール電源が投入されているか否かを確認する（ステップＳ４０７）。カメラモジュール電源が投入されていた場合（ステップＳ４０７でＹｅｓ）、撮影モードに移行し、画像表示部３０５により液晶ディスプレイ１０５の表示をファインダ画面表示にする。
【００３６】
他方、カメラモジュール電源が投入されていなかった場合（ステップＳ４０７でＮｏ）、画像展開部３０４により画像リストの最後の画像をデコードし（ステップＳ４０２）、画像表示部３０５により液晶ディスプレイ１０５にデコードされた画像を表示する（ステップＳ４０３）。
【００３７】
図４の状態遷移において、液晶ディスプレイ１０５のファインダ画面表示中（ステップＳ４０１）に限り、画像撮影部３０３により、ユーザのシャッタボタン１０２の操作による画像のキャプチャを許可し、それ以外では、ユーザがシャッタボタン１０２を操作しても何も行わない。
【００３８】
また、液晶ディスプレイ１０５のファインダ画面表示状態（ステップＳ４０１）から画像デコード状態（ステップＳ４０２）に遷移するときに、タイマ（不図示）を起動し、次に液晶ディスプレイ１０５がファインダ画面表示状態となるまでにある一定時間が経過（タイムアップ）した時点で、電源管理部３０１により、カメラモジュール電源を切断する。
【００３９】
本処理により、ユーザはデジタルカメラの撮影モードと画像再生モードとを区別したモード設定を行わなくても、撮影と画像の閲覧とをシームレスに行うことができる。また、カメラモジュール電源が切断されている場合は、画像再生に特化した操作を行うことができ、カメラモジュール電源が投入されている場合は、画像リストの最後に新たな画像を追加するというイメージで、撮影用にファインダ画面表示を行うことができる。
【００４０】
以上の状態遷移において、ユーザが十字ボタン１０７の右側、左側を押したときの画像表示の流れを図５乃至図７を用いて説明する。
【００４１】
図５は、カメラモジュール電源Ｏｎ時における十字ボタン１０７の操作に対する画像表示の流れを示す図、図６は、カメラモジュール電源Ｏｆｆ時における十字ボタン１０７の操作に対する画像表示の流れを示す図、図７は、キャプチャ後の十字ボタンの操作に対する画像表示の流れを示す図である。
【００４２】
図５及び図６に示す例は、外部メモリ２０８に画像が例えば４枚格納されている例であり、それぞれ画像１〜画像４が順に画像リストとして並んでいる。図７に示す例は、画像１〜画像４に画像５を追加した例である。
【００４３】
図５乃至図７において、左向きの矢印は十字ボタン１０７の左側を押した場合（前）に相当し、右向きの矢印は十字ボタン１０７の右側を押した場合（次）に相当する。即ち、図５に示すように液晶ディスプレイ１０５のファインダ画面表示状態（ステップＳ５０５）から、ユーザが十字ボタン１０７の右側を押すたびに、液晶ディスプレイ１０５の表示は、画像１（ステップＳ５０１）、画像２（ステップＳ５０２）、画像３（ステップＳ５０３）と辿って、画像４（ステップＳ５０４）の次はファインダ画面（ステップＳ５０５）となり、リング状に遷移する。
【００４４】
カメラモジュール電源が切断された場合、画像リストは、図６に示すようにファインダ画面が除外され、画像１（ステップＳ６０１）、画像２（ステップＳ６０２）、画像３（ステップＳ６０３）、画像４（ステップＳ６０４）の間をリング状に遷移する。
【００４５】
更に、液晶ディスプレイ１０５のファインダ画面表示状態（ステップＳ４０１）で、画像撮影部３０３により画像のキャプチャを行った場合、図７に示すように画像５（ステップＳ７０５）が画像４（ステップＳ７０４）とファインダ画面（ステップＳ７０６）の間に追加される。即ち、画像リストは、画像１（ステップＳ７０１）、画像２（ステップＳ７０２）、画像３（ステップＳ７０３）、画像４（ステップＳ７０４）、画像５（ステップＳ７０５）、ファインダ画面（ステップＳ７０６）の間をリング状に遷移する。
【００４６】
尚、図４のステップＳ４０１におけるファインダ画面表示中状態からステップＳ４０２における画像デコード状態に遷移するときにタイマを起動し、タイマがタイムアップしたらカメラモジュール電源を切断することを既に述べたが、タイマのタイムアップする時間をユーザが設定できるようにしてもよい。
【００４７】
また、図５乃至図７において、画像リストの表示が完全にリング状に遷移する例を説明したが、画像リストの表示がリング状に遷移しない状態にしてもよい。
【００４８】
また、図４のステップＳ４０１におけるファインダ画面表示中の状態（撮影モード）から、十字ボタン１０７の右側を押した場合（次）も左側を押した場合（前）も、共通して（ともに）画像再生モードに移行し、画像リストの最後の画像に固定的に移って表示してもよい。これにより、撮影モードから画像再生モードに移行するエントリポイントを一本化することができ、ユーザに誤解を与えないようにすることができる。
【００４９】
また、図４のステップＳ４０１におけるファインダ画面表示中の状態（撮影モード）から、十字ボタン１０７の右側を押した場合（次）も左側を押した場合（前）も、共通して（ともに）画像再生モードに移行し、画像リストの先頭の画像に固定的に移って表示してもよい。これにより、撮影モードから画像再生モードに移行するエントリポイントを一本化することができ、ユーザに誤解を与えないようにすることができる。
【００５０】
また、図４のステップＳ４０３における画像表示状態で、表示中の画像を消去できるようにしてもよい。更に、ステップＳ４０３における画像表示状態で、ズームボタン１０６を押すことで拡大表示や縮小表示ができるようにしてもよい。拡大表示の場合、十字ボタン１０７はスクロールのためのボタンとして使うことができ、そのため、次の画像や前の画像の表示切り替えには使うことができない。
【００５１】
以上説明したように、本実施の形態によれば、ユーザがデジタルカメラの撮影モードと画像再生モードとを区別したモード設定を行わなくても、即ち、撮影モードと画像再生モードを意識せずに、撮影と画像の閲覧とをシームレスに行うことができる。
【００５２】
［第２の実施の形態］
本発明の第２の実施の形態は、上述した第１の実施の形態に対して、下記の点において相違する。本実施の形態のその他の要素は、上述した第１の実施の形態（図１乃至図３）の対応するものと同一なので、説明を省略する。
【００５３】
上述した第１の実施の形態では、画像閲覧中にカメラモジュール電源を切断する方法が、画像閲覧状態になって一定時間経過しなければ切断できない方法であるため、電力消費が無駄であるだけでなく、沈胴型のレンズを持つデジタルカメラの場合、操作中にレンズを触ってしまうなどの事故の可能性も高くなる。
【００５４】
これに対し、本実施の形態では、省電力化の実現とユーザによる無駄な操作を省くための、カメラモジュール電源の制御（明らかにカメラモジュール電源を切断する方法）について説明する。
【００５５】
図８は、本実施の形態に係るデジタルカメラのモード設定ダイアル１０３の配設状態を示す上面図である。
【００５６】
図８において、デジタルカメラの筐体１００の上面には、８０５で示す「Ｏｆｆ」、８０６で示す「Ｒｅｃ＋Ｖｉｅｗ」、８０７で示す「Ｖｉｅｗ」が刻印されている。また、電源Ｏｎ／Ｏｆｆスイッチを兼ねたモード設定ダイアル１０３の上面には、設定モードを示すための目印８０４が刻印されている。上述したように、モード設定ダイアル１０３により、システム電源をＯｆｆにするモード（Ｏｆｆ）、画像閲覧と撮影の両方を行うことができるモード（Ｒｅｃ＋Ｖｉｅｗ）、カメラモジュール電源を敢えてＯｆｆにするモード（Ｖｉｅｗ）のどれかに設定可能である。
【００５７】
デジタルカメラの定常状態では、システム電源をＯｆｆにするモード（Ｏｆｆ）と、画像閲覧と撮影の両方を行うことができるモード（Ｒｅｃ＋Ｖｉｅｗ）のどちらかが選択されている。ユーザがモード設定ダイアル１０３の目印８０４を「Ｖｉｅｗ」８０７の位置まで動かし、手を離すと、ばね仕掛けにより目印８０４が「Ｒｅｃ＋Ｖｉｅｗ」８０６の位置に戻るようになっている。このとき、電源管理部３０１はカメラモジュール電源を切断する。
【００５８】
本実施の形態では、図４のステップＳ４０１におけるファインダ画面表示状態において、ユーザがモード設定ダイアル１０３の目印８０４をカメラモジュール電源切断位置である「Ｖｉｅｗ」８０７まで動かしても何もしないことを想定しているが、ファインダ画面表示中に、ユーザがモード設定ダイアル１０３の目印８０４を「Ｖｉｅｗ」８０７まで動かしたら、画像リストの最後の画像または先頭の画像を表示し、カメラモジュール電源を切断する構成としてもよい。これにより、カメラモジュールへの無駄な通電を避けることができ、省電力へ寄与することができる。
【００５９】
図９は、デジタルカメラの各状態と各状態におけるイベントによる遷移を示すフローチャートである。
【００６０】
図９において、本実施の形態は、上述した第１の実施の形態に対して、ステップＳ４０３に、ステップＳ４０１に戻るパスＰ９０９を加えた点が相違し、これ以外は同様である。即ち、液晶ディスプレイ１０５の画像表示中において（ステップＳ４０３）、ユーザがキャプチャボタン１１０を押すと、液晶ディスプレイ１０５の表示をファインダ画面表示状態に移行させる。このとき、カメラモジュール電源が投入されていなかった場合は、電源管理部３０１によりカメラモジュール電源を投入することにより、デジタルカメラを撮影モード（撮影可能状態）に移行させる。また、カメラモジュール電源が投入されていた場合は、デジタルカメラをそのまま撮影モードに移行させる。
【００６１】
例えば図６に示すように、デジタルカメラの十字ボタン１０７の左側や右側の操作により撮影モードに移行できない場合（画像１〜画像４の間をリング状に遷移する場合）においても、ユーザがキャプチャボタン１１０を押すことによりカメラモジュール電源を投入することで、デジタルカメラを撮影モードに移行させることができる。
【００６２】
また、液晶ディスプレイ１０５の画像表示中において、ユーザがキャプチャボタン１１０を押した場合でも、モード設定ダイアル１０３の設定により、カメラモジュール電源の投入及び撮影モードへの移行を防止するようにしてもよい。これは、ハードウェアスイッチまたはソフトウェアスイッチにより実現できる。これにより、ユーザの誤操作による撮影モードへの移行を防止できると共に、無駄な電力消費を抑えることができる。
【００６３】
以上説明したように、本実施の形態によれば、必要のないときにはカメラモジュール電源を自動的に切断することで、省電力化を実現しつつ、必要になったらカメラモジュール電源を自動的に投入することで、ユーザによる無駄な操作を省くことができる。
【００６４】
［第３の実施の形態］
本発明の第３の実施の形態は、上述した第１の実施の形態に対して、下記の点において相違する。本実施の形態のその他の要素は、上述した第１の実施の形態（図１乃至図３）の対応するものと同一なので、説明を省略する。
【００６５】
上述した第２の実施の形態では、例えば図６で画像２を表示中に（ステップＳ６０２）（画像再生モード）、ユーザがキャプチャボタン１１０を押すと、図４で液晶ディスプレイ１０５がファインダ画面表示状態（ステップＳ４０１）（撮影モード）に移行し、ユーザが十字ボタン１０７の左側（前）または右側（次）を押すと、画像リストの最後の画像または先頭の画像を表示していた。
【００６６】
これに対し、本実施の形態では、ユーザが十字ボタン１０７の左側（前）を押すと、画像リストのうち前回表示していた画像（撮影モードに移行する前に表示していた画像）を表示し、ファインダ画面表示状態からユーザが十字ボタン１０７の右側（次）を押すと、画像リストの最後の画像を表示する。
【００６７】
図１０は、本実施の形態に係る十字ボタン１０７の操作に対する画像表示の流れを示す図である。
【００６８】
図１０において、画像１（ステップＳ１００１）、画像２（ステップＳ１００２）の閲覧中において、ファインダ画面表示状態（ステップＳ１００５）に切り替えて撮影を行い、撮影終了後に画像２（ステップＳ１００２）の表示に戻し、画像３（ステップＳ１００３）、画像４（ステップＳ１００４）の閲覧を行うことができる。また、ファインダ画面表示状態（ステップＳ１００５）から画像４（ステップＳ１００４）の閲覧を行うことができる。
【００６９】
以上説明したように、本実施の形態によれば、デジタルカメラの液晶ディスプレイ１０５における画像の閲覧中に割り込んで一瞬だけ新たな撮影を行い、撮影が終わったら中断していた画像の表示を撮影前の状態に戻すことにより、画像の閲覧を再開することが可能となる。
【００７０】
［第４の実施の形態］
本発明の第４の実施の形態は、上述した第１の実施の形態に対して、下記の点において相違する。本実施の形態のその他の要素は、上述した第１の実施の形態（図１乃至図３）の対応するものと同一なので、説明を省略する。
【００７１】
本実施の形態では、予めデジタルカメラの動作の設定を行っておくための設定画面を用いて、ユーザが所望の項目を設定しておく例を説明する。
【００７２】
図１１は、本実施の形態に係るデジタルカメラの設定画面を示す図である。
【００７３】
図１１において、ユーザがデジタルカメラのメニューボタン１０９（図１参照）を押すと、液晶ディスプレイ１０５は設定画面１１００の表示になる。本実施の形態では、デジタルカメラの設定項目として以下のものがある。
【００７４】
（１）画像確認時間
（２）自動カメラＯｆｆ
（３）画像閲覧時のカメラ電源
（４）日付
（５）時刻
（６）操作音
（７）シャッタ音
（８）セルフタイマ
液晶ディスプレイ１０５の設定画面１１００の設定項目表示状態から、ユーザがメニューボタン１０９を押すと、メニューボタン１０９を押す前の状態に戻る。設定画面１１００において、バックグラウンドが例えばグレーアウトされている項目１１０１が現在選択されている項目であり、「画像閲覧時のカメラ電源（カメラモジュール電源）」が選択されている。ここで、ユーザが十字ボタン１０７の中央部を押すと（セット状態）、選択されている項目の選択肢が図１２に示すように表示される。
【００７５】
図１２は、設定画面における設定項目選択中の状態を示す図である。
【００７６】
図１２において、設定画面１２００における「画像閲覧時のカメラ電源（カメラモジュール電源）」は現在は「切」になっている。即ち、撮影モードから画像再生モード（既に撮影された画像を表示する画像閲覧モード）に移った途端（図４のステップＳ４０１からステップＳ４０２に遷移するとき）に、省電力のためにカメラモジュール電源を切断するような設定である。この場合、ユーザがキャプチャボタン１１０を押すことによるデジタルカメラの立ち上げ時に、電源管理部３０１により必ずカメラモジュール電源を投入する。沈胴型のレンズを持つデジタルカメラの場合はレンズの移動を伴うため、撮影スタンバイまでに時間がかかるが、一方で電力消費を抑制することができる。
【００７７】
「画像閲覧時のカメラ電源（カメラモジュール電源）」の選択肢は、上記「切」の他に「自動」と「入」とがある。「自動」を選択した場合、図４のステップＳ４０１からステップＳ４０２に遷移するときにタイマが動き、予め決められた時間（例えば２分）内にステップＳ４０１のファインダ画面表示状態（撮影可能状態）に戻らなければ、電源管理部３０１によりカメラモジュール電源を切断し、沈胴型のレンズであればレンズを沈める。
【００７８】
また、「入」を選択した場合、画像再生モード（画像閲覧モード）でもカメラモジュール電源は投入された状態となる。この選択肢の切り替えは十字ボタン１０７の左側または右側を押すことで行い、十字ボタン１０７の中央部を押すことで該当する選択肢が設定（セット）される。
【００７９】
以上説明したように、本実施の形態によれば、ユーザの好みに応じてデジタルカメラの撮影モードと画像再生モードを意識せずに撮影と画像の閲覧とをシームレスに行うことが可能となると共に、カメラモジュール電源の所望の制御方法（「自動」「切」「入」）を選択することが可能となる。
【００８０】
［他の実施の形態］
上記第１乃至第４の実施の形態では、デジタルカメラの液晶ディスプレイ１０５に表示する画像の切り替えを行う操作手段として上下左右と中央を押し込むことができる十字ボタン１０７を例に挙げたが、これに限定されるものではなく、十字ボタン１０７と同等の機能を有する操作手段であればその形態や構造は任意である。
【００８１】
上記第１乃至第４の実施の形態では、本発明の撮像装置をデジタルカメラに適用した場合を例に挙げたが、これに限定されるものではなく、デジタルビデオカメラにも適用することができる。
【００８２】
本発明は、上述した実施の形態の機能を実現するソフトウェアのプログラム（図４、図９のフローチャート）をコンピュータ又はＣＰＵに供給し、そのコンピュータ又はＣＰＵが該供給されたプログラムを読出して実行することによって、達成することができる。
【００８３】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００８４】
上記プログラムの形態は、オブジェクトコード、インタプリタにより実行されるプログラムコード、ＯＳ（オペレーティングシステム）に供給されるスクリプトデータ等の形態から成ってもよい。
【００８５】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００８６】
この場合、格納媒体から読出されたプログラムコード自体が上述した各実施の形態の機能を実現すると共に、そのプログラムコードを記憶した記憶媒体は本発明を構成する。
【００８７】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００８８】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【００８９】
【図１】本発明の第１の実施の形態に係る撮像装置としてのデジタルカメラの外観を示すものであり、（ａ）はデジタルカメラを正面側から見た斜視図、（ｂ）はデジタルカメラを背面側から見た斜視図である。
【図２】デジタルカメラの電気的な構成を示すブロック図である。
【図３】デジタルカメラの主要機能を示す機能ブロック図である。
【図４】デジタルカメラの各状態と各状態におけるイベントによる遷移を示すフローチャートである。
【図５】カメラモジュール電源Ｏｎ時における十字ボタンの操作に対する画像表示の流れを示す図である。
【図６】カメラモジュール電源Ｏｆｆ時における十字ボタンの操作に対する画像表示の流れを示す図である。
【図７】キャプチャ後の十字ボタンの操作に対する画像表示の流れを示す図である。
【図８】本発明の第２の実施の形態に係るデジタルカメラのモード設定ダイアルの配設状態を示す上面図である。
【図９】デジタルカメラの各状態と各状態におけるイベントによる遷移を示すフローチャートである。
【図１０】本発明の第３の実施の形態に係る十字ボタンの操作に対する画像表示の流れを示す図である。
【図１１】本発明の第４の実施の形態に係るデジタルカメラの設定画面を示す図である。
【図１２】設定画面における設定項目選択中の状態を示す図である。
【符号の説明】
【００９０】
１０３  モード設定ダイアル（第三の操作手段に対応）
１０５  液晶ディスプレイ（表示手段に対応）
１０７  十字ボタン（操作手段に対応）
１１０  キャプチャボタン（第二の操作手段に対応）
３０１  電源管理部（電源制御手段、電源確認手段に対応）
３０３  画像撮影部（撮影移行手段に対応）
３０４  画像展開部（生成手段に対応）
【図１】
2005295448.tif 000003
【図２】
2005295448.tif 000004
【図３】
2005295448.tif 000005
【図４】
2005295448.tif 000006
【図５】
2005295448.tif 000007
【図６】
2005295448.tif 000008
【図７】
2005295448.tif 000009
【図８】
2005295448.tif 000010
【図９】
2005295448.tif 000011
【図１０】
2005295448.tif 000012
【図１１】
2005295448.tif 000013
【図１２】
2005295448.tif 000014